(57)【要約】【課題】  敷料を敷いて鶏を飼育できるようにするとともに、死鶏が発生した場合これを容易に発見して対応できるようにし、しかも、出荷時には一気に集鶏できるようにして、飼育効率の向上を図る。【解決手段】  飼育室１０を、敷料１１が敷かれ長手方向に沿って移動可能な細長状の移動床１２と、移動床１２を覆い長手方向一端側に移動床１２の移動により敷料とともに鶏を排出可能な出口１３を有した覆体１４とを備えて構成し、飼育室１０を複数段積み重ねて飼育棟Ｔを形成し、飼育棟Ｔを床２に所定の間隔を隔て  て複数列設し、各飼育室１０内の鶏の状態を監視する監視器１７と、監視器１７の監視結果に基づいて死鶏が発生したか否かを判断し、死鶏が発生したと判断したとき死鶏の位置情報を送出する制御部３０とを備えた。【選択図】図１
2018186712.tif 000002
【特許請求の範囲】
【請求項１】
鶏舎の床に多数の鶏が飼育される飼育室を設置してなる養鶏システムにおいて、
上記飼育室を、敷料が敷かれ長手方向に沿って移動可能な細長状の移動床と、該移動床を覆い長手方向一端側に該移動床の移動により敷料とともに鶏を排出可能な出口を有した覆体とを備えて構成し、上記飼育室を複数段積み重ねて飼育棟を形成し、該飼育棟を上記床に所定の間隔を隔てて複数列設し、
上記各飼育室内の鶏の状態を監視する監視器と、該監視器の監視結果に基づいて死鶏が発生したか否かを判断し、死鶏が発生したと判断したとき該死鶏の位置情報を送出する制御部とを備えたことを特徴とする養鶏システム。
【請求項２】
上記制御部からの死鶏の位置情報に基づいて該当する死鶏を取出す死鶏取出し装置を備えたことを特徴とする請求項１記載の養鶏システム。
【請求項３】
上記飼育室の覆体の側部を開閉可能な複数の扉を備えて構成し、該各扉を個別に開閉駆動する扉駆動部を備え、
上記死鶏取出し装置を、上記隣接する飼育棟間の床からなる通路を走行可能な走行体と、該走行体を走行駆動する走行駆動部と、上記走行体に搭載され上記開にさせられた扉から死鶏を取出す死鶏取出し部とを備えて構成し、
上記制御部に、死鶏の位置情報に基づいて該当する死鶏を取出すように上記扉駆動部，走行駆動部及び死鶏取出部を作動させる機能を備えたことを特徴とする請求項２記載の養鶏システム。
【発明の詳細な説明】
【技術分野】
【０００１】
本発明は、鶏舎の床に多数の鶏が飼育される飼育室を設置してなる養鶏システムに関する。
【背景技術】
【０００２】
従来から、養鶏システムとしては、例えば、特開平９−１３５６４８号公報（特許文献１）に掲載されているようなシステムがある。これは、鶏舎の床に多数の鶏が飼育される飼育室を設置してなるもので、飼育室を、多数の鶏が飼育される細長状の網状の飼育ゲージと、この飼育ゲージの下側に設けられ飼育ゲージの下面を通過して落下する鶏糞を受けて排出する排出コンベアとから構成している。そして、この飼育室を複数段積み重ねて飼育棟を形成し、この飼育棟を床に所定の間隔を隔てて複数列設している。
【０００３】
また、従来においては、例えば、特開平９−２３７７８号公報（特許文献２）に掲載された技術も知られている。これは、死鶏が発生したときに自動で対応できるようにした平飼飼育のシステムであり、鶏舎内において、多数の鶏が載せられるとともに一方向に沿って移動可能で鶏糞が通過可能な網状の可動床であるメッシュベルトを設け、このメッシュベルトを鶏が逃げないように傾動扉で覆い、飼育期間中は、鶏糞をメッシュベルトから落下させるようにして飼育し、また、メッシュベルトを超低速で運転して死鶏を回収できるようにし、出荷時にはメッシュベルトを高速で運転して一気に集鶏できるようにしている。
【先行技術文献】
【特許文献】
【０００４】
【特許文献１】特開平９−１３５６４８号公報
【特許文献２】特開平９−２３７７８号公報
【発明の概要】
【発明が解決しようとする課題】
【０００５】
ところで、上記従来の前者の養鶏システムにおいては、鶏は網状の飼育ケージに載せられるので、敷料がないことから、ストレスになって十分な生育が得られないという問題がある。また、飼育中には死鶏が生じることがあるが、その場合には、逐一、人が監視をしてこれを取り除かなければならないので、管理や作業が煩雑になり、効率が悪いという問題もある。
【０００６】
一方、上記従来の後者の養鶏システムにおいては、死鶏が発生した場合、これを自動で除去でき、しかも、出荷時にはメッシュベルトを高速で運転して一気に集鶏できるが、しかしながら、前者の養鶏システムと同様に、鶏は網状のメッシュベルトに載せられるので、敷料がないことから、ストレスになって十分な生育が得られないという問題がある。また、平飼飼育なので、前者の飼育室を複数段積み重ねる養鶏システムに比較して、飼育効率に劣るという問題がある。
【０００７】
本発明は、このような問題点に鑑みてなされたもので、敷料を敷いて鶏を飼育できるようにするとともに、死鶏が発生した場合これを容易に発見して対応できるようにし、しかも、出荷時には一気に集鶏できるようにして、飼育効率の向上を図った養鶏システムを提供することを目的とする。
【課題を解決するための手段】
【０００８】
このような目的を達成するため、本発明の養鶏システムは、鶏舎の床に多数の鶏が飼育される飼育室を設置してなる養鶏システムにおいて、
上記飼育室を、敷料が敷かれ長手方向に沿って移動可能な細長状の移動床と、該移動床を覆い長手方向一端側に該移動床の移動により敷料とともに鶏を排出可能な出口を有した覆体とを備えて構成し、上記飼育室を複数段積み重ねて飼育棟を形成し、該飼育棟を上記床に所定の間隔を隔てて複数列設し、
上記各飼育室内の鶏の状態を監視する監視器と、該監視器の監視結果に基づいて死鶏が発生したか否かを判断し、死鶏が発生したと判断したとき該死鶏の位置情報を送出する制御部とを備えた構成としている。
【０００９】
これにより、鶏を飼育するときは、飼育室の移動床に敷料を敷き、この敷料の上で鶏を飼育する。このため、敷料は網状の床に比較して柔らかいことから、鶏が過ごし易くなりストレスを与えることなく、生育を十分に行うことができる。また、鶏糞は敷料内に入り込むが、一般に、食肉用の鶏の飼育期間は、４０日〜５０日程度と短期間であり、敷料の分量を調整することで、鶏糞の影響はほとんどなくすることができる。
【００１０】
この飼育期間中においては、監視器が各飼育室内の鶏の状態を監視し、制御部が、監視器の監視結果に基づいて死鶏が発生したか否かを監視している。もし、制御部が死鶏が発生したと判断すると、死鶏の位置情報を送出する。これを、例えば、警報ランプなどで報知できるようにすれば、容易に死鶏の位置を知ることができ、除去作業を速やかに行うことができる。
【００１１】
そして、飼育期間が終了したならば、移動床を作動させて移動させ、敷料とともに鶏を出口から排出する。この場合、敷料は鶏糞とともに回収できるとともに、集鶏を一気に行うことができる。そのため、飼育効率を向上させることができる。鶏の回収後は、飼育室を、例えば、蒸気，熱風，薬品などにより消毒して、再び、飼育の用に供する。
【００１２】
そして、必要に応じ、上記制御部からの死鶏の位置情報に基づいて該当する死鶏を取出す死鶏取出し装置を備えた構成としている。死鶏取出し装置が作動して死鶏を自動で取出すので、人手で死鶏の除去作業を行わなくても良いことから、作業効率を大幅に向上させることができる。
【００１３】
この場合、必要に応じ、上記飼育室の覆体の側部を開閉可能な複数の扉を備えて構成し、該各扉を個別に開閉駆動する扉駆動部を備え、
上記死鶏取出し装置を、上記隣接する飼育棟間の床からなる通路を走行可能な走行体と、該走行体を走行駆動する走行駆動部と、上記走行体に搭載され上記開にさせられた扉から死鶏を取出す死鶏取出し部とを備えて構成し、
上記制御部に、死鶏の位置情報に基づいて該当する死鶏を取出すように上記扉駆動部，走行駆動部及び死鶏取出部を作動させる機能を備えた構成としている。
【発明の効果】
【００１４】
本発明によれば、鶏を飼育するときは、移動床に敷いた敷料の上で鶏を飼育することができるので、敷料は網状の床に比較して柔らかいことから、鶏が過ごし易くなりストレスを与えることなく、育成を円滑に行うことができる。また、死鶏が発生した場合にはこれを容易に発見することができるので、除去作業を速やかに行うことができ、環境を確実に保全して鶏を育成することができる。更に、出荷時には移動床の移動により敷料とともに鶏を排出することができるので、一気に集鶏できる。そのため、飼育効率を大幅に向上させることができる。
【図面の簡単な説明】
【００１５】
【図１】本発明の実施の形態に係る養鶏システムにおいて鶏舎の内部を示す正面図である。
【図２】本発明の実施の形態に係る養鶏システムにおいて鶏舎の内部を示し、（ａ）は平面図、（ｂ）は側面図である。
【図３】本発明の実施の形態に係る養鶏システムにおいて、飼育室及び死鶏取出し装置を示す要部図である。
【図４】本発明の実施の形態に係る養鶏システムの制御部の構成を示すブロック図である。
【発明を実施するための形態】
【００１６】
以下、添付図面に基づいて本発明の実施の形態に係る養鶏システムについて詳細に説明する。
図１乃至図４には、本発明の実施の形態に係る養鶏システムＳを示している。この養鶏システムＳは、鶏舎１の床２に多数の鶏が飼育される飼育室１０を設置してなる。
飼育室１０は、敷料１１が敷かれ長手方向に沿って移動可能な細長状の移動床１２と、移動床１２を覆い長手方向一端側に移動床１２の移動により敷料１１とともに鶏を排出可能な出口１３を有した覆体１４とを備えて構成されている。移動床１２は、例えば、ベルトコンベアから構成されており、飼育中は停止させられており、飼育期間が終了した際、鶏を排出するときに作動させられる。敷料１１としては敷藁やおがくず等適宜のものが用いられる。
【００１７】
また、図３に示すように、飼育室１０の覆体１４の側部は、開閉可能な複数の扉１５を備えて構成されている。扉１５は、例えば、長手方向に沿ってスライド可能な複数の透明若しくは半透明の樹脂板や硝子板などで形成されており、長手方向の所望の箇所を開閉できるようにしている。また、飼育室１０には、各扉１５を個別に開閉駆動する例えば電動モータを備えた扉駆動部１６が備えられている。
【００１８】
この飼育室１０は、複数段積み重ねられており、これにより飼育棟Ｔが形成されている。この飼育棟Ｔは、床２に所定の間隔を隔てて複数列設されている。隣接する飼育棟Ｔ間の床２は、後述の走行体２１の通路３を形成している。また、両側の飼育棟Ｔの床２も通路３として構成されている。実施の形態では、飼育棟Ｔは飼育室１０を６段積み重ねて構成され、飼育棟Ｔは、４列設けられている。飼育室１０において、例えば、移動床１２の幅が１，５００ｍｍ〜２，５００ｍｍ、移動床１２の長さが、２０，０００ｍｍ〜８０，０００ｍｍに設定される。
【００１９】
また、各飼育室１０内には、各飼育室１０内の鶏の状態を監視するＡＩ移動監視器１７が設けられている。監視器１７は、飼育室１０の天井に長手方向に沿って設けられたレール１８を往復動させられて鶏を監視する。監視器１７としては、例えば、赤外線カメラ（サーモカメラ）が用いられ、鶏を撮像してその位置を検知できるとともに、鶏の体温を検知できるようにしている。尚、監視器１７は、飼育室１０の天井に長手方向に沿って複数個固定して設けるようにしても良い。
【００２０】
更に、本システムＳは、後述の制御部３０からの死鶏の位置情報に基づいて該当する死鶏を取出す死鶏取出し装置２０が備えられている。死鶏取出し装置２０は、図１及び図３に示すように、隣接する飼育棟Ｔ間の床２からなる通路３を走行可能な走行体２１と、走行体２１を走行駆動する例えば電動モータを備えた走行駆動部２２と、走行体２１に搭載され開にさせられた扉１５から死鶏を取出す死鶏取出し部２３とを備えて構成されている。死鶏取出し部２３は、ボックス状に形成された筐体２４を備えており、この筐体２４は、走行体２１に設けられた支柱２５に対して、上下動可能に設けられており、例えば電動モータを備えた筐体駆動部２６により、上下の飼育室１０の何れかの扉１５位置に移動位置決め可能に構成されている。
【００２１】
また、筐体２４内には、図３に示すように、進退動可能に設けられ、飼育室１０に扉１５が開けられた部位から内部に進出して死鶏を吸引して吸着するバキュームホース２８を備えた吸引機２７が設けられている。２９はバキュームホース２８の先端を、死鶏のある所要位置に移動位置決め可能なホース駆動部である。ホース駆動部２９は、バキュームホース２８で死鶏を吸引して筐体２４内に回収する。
【００２２】
そして、本装置は、図４に示すように、制御部３０を備えている。制御部３０は、例えば図示外の管理部署等に設置されている。制御部３０は、監視器１７の監視結果に基づいて死鶏が発生したか否かを判断する死鶏判断手段３１と、死鶏判断手段３１が死鶏が発生したと判断したとき該死鶏の位置情報を送出する死鶏位置情報送出手段３２とを備えて構成されている。死鶏判断手段３１は、例えば、監視器１７が赤外線カメラ（サーモカメラ）で構成される場合には、これにより鶏の体温を検知するとともに、その温度が所定温度以下になったとき、死亡したとして死鶏が発生したと判断する。また、本システムにおいては、死鶏位置情報送出手段３２の死鶏の位置情報に基づいて、点灯する図示外の警報ランプや、鳴動する図示外の警報器を備えている。
【００２３】
また、制御部３０は、死鶏位置情報送出手段３２からの位置情報に基づいて、該当する死鶏を取出すように扉駆動部１６，走行駆動部２２及び死鶏取出し部２３を作動させる機能を備えている。即ち、制御部３０は、死鶏位置情報送出手段３２の死鶏の位置情報に基づいて該当する死鶏のある位置に近接する扉１５を開にするよう扉駆動部１６に所定のタイミングで開指令を送出するとともに死鶏の取り出し後の所定時期に閉指令を送出して扉駆動部１６を作動させる扉駆動部作動手段３３を備えている。また、制御部３０は、死鶏位置情報送出手段３２の死鶏の位置情報に基づいて該当する死鶏のある位置に対応する所定位置に走行体２１を走行させて停止するよう走行駆動部２２に走行指令を送出する走行指令送出手段３４と、死鶏位置情報送出手段３２の死鶏の位置情報に基づいて該当する死鶏のある位置に対応する飼育室１０に筐体２４を移動させて停止するよう筐体駆動部２６に移動指令を送出する筐体移動指令送出手段３５と、死鶏位置情報送出手段３２の死鶏の位置情報に基づいて飼育室１０内の死鶏の位置にバキュームホース２８の吸引口を位置させるようホース駆動部２９に移動指令を送出するホース移動指令送出手段３６とを備えて構成されている。また、制御部３０は、所要のタイミングで吸引機２７の始動停止を行う機能も備えている。
【００２４】
更にまた、飼育室１０内には、周知の自動給餌装置，自動給水装置，照明装置や温度・湿度・風等を調整する空調装置，自動消毒装置等が備えられている。制御部３０は、これらの各装置の制御、移動床１２の移動制御等も行う。
【００２５】
従って、この実施の形態に係る養鶏システムにより鶏を飼育するときは、飼育室１０の移動床１２に敷料１１を敷き、この敷料１１の上で鶏を飼育する。このため、敷料１１は網状の床に比較して柔らかいことから、鶏が過ごし易くなりストレスを与えることなく、生育を十分に行うことができる。また、鶏糞は敷料１１内に入り込むが、一般に、食肉用の鶏の飼育期間は、４０日〜５０日程度と短期間であり、敷料１１の分量を調整することで、鶏糞の影響はほとんどなくすることができる。
【００２６】
この飼育期間中においては、監視器１７が各飼育室１０内の鶏の状態を監視し、制御部３０が、監視器１７の監視結果に基づいて死鶏が発生したか否かを監視している。もし、制御部３０が死鶏が発生したと判断すると、死鶏の位置情報を送出する。これにより、警報ランプが点灯し、警報器が鳴動して、死鶏発生が知らされるとともにその位置を知ることができる。
【００２７】
また、制御部３０の死鶏位置情報送出手段３２の死鶏の位置情報に基づいて、死鶏取出し装置２０の走行体２１が該当する死鶏のある位置に対応する所定位置に走行させられて停止させられ、筐体２４が該当する死鶏のある位置に対応する飼育室１０に移動させられて停止させられる。この状態で、該当する死鶏のある位置に近接する扉１５が開かれる。そして、バキュームホース２８が飼育室１０内に進出させられ飼育室１０内の死鶏の位置にバキュームホース２８の吸引口が位置させられるとともに、吸引機２７が作動させられて死鶏が吸引され、その後、バキュームホース２８は筐体２４内に後退し、死鶏が回収される。これにより、死鶏の除去作業を自動で速やかに行うことができる。
【００２８】
そして、飼育期間が終了したならば、移動床１２を作動させて移動させ、敷料１１とともに鶏を出口１３から排出する。この場合、敷料１１は鶏糞とともに回収できるとともに、集鶏を一気に行うことができる。そのため、飼育効率を向上させることができる。
【００２９】
尚、上記実施の形態において、死鶏取出し装置２０は上述した構成のものに限定されるものではなく、例えば、飼育室１０内の天井を長手方向に走行して、死鶏を把持ハンドで取り上げて、飼育室１０外に搬送する機構で構成するなど、適宜変更して差支えない。本発明は、上述した本発明の実施の形態に限定されず、当業者は、本発明の新規な教示及び効果から実質的に離れることなく、これら例示である実施の形態に多くの変更を加えることが容易であり、これらの多くの変更は本発明の範囲に含まれる。
【符号の説明】
【００３０】
Ｓ  養鶏システム
Ｔ  飼育棟
１  鶏舎
２  床
３  通路
１０  飼育室
１１  敷料
１２  移動床
１３  出口
１４  覆体
１５  扉
１６  扉駆動部
１７  監視器
２０  死鶏取出し装置
２１  走行体
２２  走行駆動部
２３  死鶏取出し部
２４  筐体
２５  支柱
２６  筐体駆動部
２７  吸引機
２８  バキュームホース
２９  ホース駆動部
３０  制御部
３１  死鶏判断手段
３２  死鶏位置情報送出手段
３３  扉駆動部作動手段
３４  走行指令送出手段
３５  筐体移動指令送出手段
３６  ホース移動指令送出手段
【図１】
2018186712.tif 000003
【図２】
2018186712.tif 000004
【図３】
2018186712.tif 000005
【図４】
2018186712.tif 000006